(57)【要約】【課題】内装材に直接接合することなく固定することが可能となり、容易に設置、取り外し作業を行うことが可能となるカバー構造を提供する。【解決手段】本発明を適用したカバー構造１は、建築物の内装として用いられる壁で構成される内装材１０１に設けられるものであって、平面視でコの字状に形成されるカバー材１０と、カバー材１０の開口側に設けられる受け材１５と、カバー材１０及び受け材１５を着脱可能に接合する接合材１４と、を備え、カバー材１０は、内装材１０１の側端が切り欠かれた切欠部１３０に設けられるとともに、内装材１０１に固定される支持材９１に緩衝材７１を介して固定されることを特徴とする。【選択図】図１
2017150133.tif 000002
【特許請求の範囲】
【請求項１】
建築物の内装として用いられる壁で構成される内装材に設けられるカバー構造であって、
平面視でコの字状に形成されるカバー材と、前記カバー材の開口側に設けられる受け材と、前記カバー材及び前記受け材を着脱可能に接合する接合材と、を備え、
前記カバー材は、前記内装材の側端が切り欠かれた切欠部に設けられるとともに、前記内装材に固定される支持材に緩衝材を介して固定されること
を特徴とするカバー構造。
【請求項２】
前記受け材は、前記切欠部の鉛直面に当接されること
を特徴とする請求項１記載のカバー構造。
【請求項３】
前記接合材は、前記カバー材の下側に設けられること
を特徴とする請求項１又は２記載のカバー構造。
【請求項４】
建築物の内装として用いられる壁、又は柱で構成される内装材に設けられるカバー構造であって、
角筒状に形成されるカバー材を備え、
前記カバー材は、平面視でＬ字状に形成される２つのＬ字部材と、２つの前記Ｌ字部材を着脱可能に接合する接合材とを有し、前記内装材の側端が切り欠かれた切欠部に設けられるか、又は、前記内装材の上面部に設けられるとともに、前記内装材に固定される支持材に緩衝材を介して固定されること
を特徴とするカバー構造。
【請求項５】
前記カバー材は、前記切欠部の鉛直面と間隔を空けて設けられること
を特徴とする請求項４記載のカバー構造。
【請求項６】
前記カバー材は、２つの前記Ｌ字部材を係止する係止機構を有し、
前記係止機構は、板材からなる係止片と、前記係止片と係合する係合部とを有し、
前記係止片は、一方の前記Ｌ字部材に設けられ、
前記係合部は、他方の前記Ｌ字部材に設けられること
を特徴とする請求項４又は５の何れか１項記載のカバー構造。
【請求項７】
前記係止片は、前記接合材に接合されること
を特徴とする請求項６記載のカバー構造。
【請求項８】
前記カバー材は、一方の前記Ｌ字部材と他方の前記Ｌ字部材とを開閉可能に連結する開閉部材を有すること
を特徴とする請求項４〜７の何れか１項記載のカバー構造。
【請求項９】
前記緩衝材は、前記支持材側の一端部が、前記支持材の平面視の形状に合わせて形成されること
を特徴とする請求項１〜８の何れか１項記載のカバー構造。
【請求項１０】
前記カバー材は、その上端及び下端の内縁に沿って、前記カバー材と前記内装材との隙間から光が通れないように遮光する遮光体が設けられること
を特徴とする請求項１〜９の何れか１項記載のカバー構造。
【発明の詳細な説明】
【技術分野】
【０００１】
本発明は、建築物の内装として用いられる内装材に設けられるカバー構造に関する。
【背景技術】
【０００２】
従来、建築物の内装として用いられる壁で構成される内装材に設けられるカバー構造は、内装材に固定された構造金物、照明器具、ＯＡ機器、電気配線等を覆うために用いられるものであって、カバー構造本体、又は、取り付け用の受け材を建築物の内装材に直接接合して設置される。
【０００３】
しかし、従来のカバー構造は、内装材に直接接合するため、例えば、ボルトやビス止め等の施工作業を行う必要がある。また、従来のカバー構造は、その内部に設けられた構造金物、照明器具、ＯＡ機器等をメンテナンスするとき、カバー構造を取り外すために、再度、ボルトやビス等を取り外さなければならない。
【０００４】
このように、従来のカバー構造は、設置作業や取り外し作業が煩雑なものとなり、また内装材に直接接合されるために、内装材を傷めてしまうという問題点があった。また、従来のカバー構造は、内装材が土壁や砂壁等で構成される場合、当該内装材にボルトやビス等により直接接合することができないという問題点があった。
【０００５】
特許文献１に開示されたジョイントパネルは、パネル枠の両面に面材を張設してなるパネルにおいて、片面の面材の一側端縁部を開口して開口溝部を形成するとともに、該開口溝部開閉自在に蓋板を装着してなることを特徴とする。これにより、特許文献１に開示されたジョイントパネルは、施工現場で、正確にパネルの連結、配線施工が行え、パネルの連結部表面に段差を生じるおそれをなくすことができる。
【０００６】
また、特許文献１に開示されたジョイントパネルは、開口溝部が、電気配線等の配線を行う配線スペースとして利用されるものであって、蓋板を開口溝部の上面開口部に嵌合することによって、面材やパネル枠に直接固定するものである。
【０００７】
しかしながら、特許文献１に開示されたジョイントパネルは、開口溝部の内部に設けられるものに蓋板を固定することに関して、何ら記載や示唆もない。仮に、特許文献１に開示されたジョイントパネルは、開口溝部の内部に設けられる電気配線に蓋板を固定した場合、地震等の振動を受けたとき、蓋板が電気配線を傷つけてしまう虞がある。このため、特許文献１に開示されたジョイントパネルは、開口溝部の内部に設けられるものに蓋板を固定することができず、その結果、蓋板が面材やパネル枠から脱離する虞があった。即ち、特許文献１に開示されたジョイントパネルは、電気配線を覆う蓋板をカバー材として用いられ、ジョイントパネルの内部に設けられる電気配線を支持材として用いられたとしても、当該カバー材が当該支持材を介してジョイントパネルに固定することができず、これらを組み合わせることについては大きな阻害要因が存在する。
【先行技術文献】
【特許文献】
【０００８】
【特許文献１】特開２００２−３０７５０号公報
【発明の概要】
【発明が解決しようとする課題】
【０００９】
そこで、本発明は、上述した問題点に鑑みて案出されたものであり、その目的とするところは、内装材に直接接合することなく固定することが可能となり、容易に設置、取り外し作業を行うことが可能となるカバー構造を提供することにある。
【課題を解決するための手段】
【００１０】
第１発明に係るカバー構造は、建築物の内装として用いられる壁で構成される内装材に設けられるものであって、平面視でコの字状に形成されるカバー材と、前記カバー材の開口側に設けられる受け材と、前記カバー材及び前記受け材を着脱可能に接合する接合材と、を備え、前記カバー材は、前記内装材の側端が切り欠かれた切欠部に設けられるとともに、前記内装材に固定される支持材に緩衝材を介して固定されることを特徴とする。
【００１１】
第２発明に係るカバー構造は、第１発明において、前記受け材は、前記切欠部の鉛直面に当接されることを特徴とする。
【００１２】
第３発明に係るカバー構造は、第１発明又は第２発明において、前記接合材は、前記カバー材の下側に設けられることを特徴とする。
【００１３】
第４発明に係るカバー構造は、建築物の内装として用いられる壁、又は柱で構成される内装材に設けられるものであって、角筒状に形成されるカバー材を備え、前記カバー材は、平面視でＬ字状に形成される２つのＬ字部材と、２つの前記Ｌ字部材を着脱可能に接合する接合材とを有し、前記内装材の側端が切り欠かれた切欠部に設けられるか、又は、前記内装材の上面部に設けられるとともに、前記内装材に固定される支持材に緩衝材を介して固定されることを特徴とする。
【００１４】
第５発明に係るカバー構造は、第４発明において、前記カバー材は、前記切欠部の鉛直面と間隔を空けて設けられることを特徴とする。
【００１５】
第６発明に係るカバー構造は、第４発明又は第５発明において、前記カバー材は、２つの前記Ｌ字部材を係止する係止機構を有し、前記係止機構は、板材からなる係止片と、前記係止片と係合する係合部とを有し、前記係止片は、一方の前記Ｌ字部材に設けられ、前記係合部は、他方の前記Ｌ字部材に設けられることを特徴とする。
【００１６】
第７発明に係るカバー構造は、第６発明において、前記係止片は、前記接合材に接合されることを特徴とする。
【００１７】
第８発明に係るカバー構造は、第４発明〜第７発明において、前記カバー材は、一方の前記Ｌ字部材と他方の前記Ｌ字部材とを開閉可能に連結する開閉部材を有することを特徴とする。
【００１８】
第９発明に係るカバー構造は、第１発明〜第８発明において、前記緩衝材は、前記支持材側の一端部が、前記支持材の平面視の形状に合わせて形成されることを特徴とする。
【００１９】
第１０発明に係るカバー構造は、第１発明〜第９発明において、前記カバー材は、その上端及び下端の内縁に沿って、前記カバー材と前記内装材との隙間から光が通れないように遮光する遮光体が設けられることを特徴とする。
【発明の効果】
【００２０】
第１発明〜第３発明、第９発明、第１０発明によれば、カバー材と受け材とを着脱可能に接合する接合材を備えることによって、内装材の切欠部に設けられるとき、ボルトやビス等により直接接合する煩雑な作業を行うことなく、容易に内装材に設置、取り外しを行うことが可能となる。
【００２１】
第１発明〜第３発明、第９発明、第１０発明によれば、カバー材が切欠部に固定される支持材に緩衝材を介して固定されることによって、内装材に直接接合することなく、内装材の切欠部に固定することが可能となり、内装材からの落下又はズレを防止することが可能となる。
【００２２】
第２発明〜第３発明、第９発明、第１０発明によれば、受け材が切欠部の鉛直面に当接されることによって、地震等により振動の作用を受けたとき、受け材の移動を制限することが可能となる。
【００２３】
第３発明、第９発明、第１０発明によれば、接合材がカバー材の下側に設けられることによって、受け材を切欠部の下端面に載置した状態で、カバー材と受け材とを接合することが可能となり、切欠部に設置するのを更に容易にすることが可能となる。
【００２４】
第４発明〜第１０発明によれば、角筒状に形成されるカバー材が、２つのＬ字部材を互いに着脱可能に接合する接合材を有し、切欠部に設けられるか、又は、内装材の上面部に設けられるとともに、支持材に緩衝材を介して固定されることによって、容易に内装材に設置、取り外しを行うことが可能となり、内装材に直接接合することなく固定することが可能となり、内装材からの落下又はズレを防止することが可能となる。
【００２５】
第５発明〜第１０発明によれば、カバー材が、切欠部の鉛直面と間隔を空けて設けられることによって、カバー材と鉛直面との間の空間に配線等を収容させることが可能となる。
【００２６】
第６発明〜第１０発明によれば、カバー材は、２つのＬ字部材を係止する係止機構を有し、係止機構は、板材からなる係止片と、係止片と係合する係合部とを有し、係止片は、一方のＬ字部材に設けられ、係合部は、他方のＬ字部材に設けられることによって、係合部の挿通部近傍にある接合材に係止片の爪部を接合し易くし、かつ、２つのＬ字部材を係止することが可能となる。
【００２７】
第７発明〜第１０発明によれば、係止片は、接合材へのガイドの役割も持つ係合部に沿わせて移動させることにより、的確に接合材に接合され、かつ、係合部と密接されることによって、カバー材が内装材から落下する、又はズレるのを防止する効果をより有意に発揮することが可能となる。
【００２８】
第８発明〜第１０発明によれば、カバー材は、一方のＬ字部材と他方のＬ字部材とを開閉可能に連結する開閉部材を有することによって、内装材に設置するとき、その設置を容易に行うことが可能となり、地震等の振動を受けたとき、一方のＬ字部材と他方のＬ字部材とが脱離するのを防止することが可能となる。
【００２９】
第９発明〜第１０発明によれば、緩衝材の支持材側の一端部が支持材の形状に合わせて形成されることによって、地震等により振動の作用を受けたとき、一端部が支持材に係止されるとともに、一端部と支持材との間で摩擦力が発生し、その作用に抵抗することが可能となる。
【００３０】
第１０発明によれば、施工上の隙間から光が漏れるのを防止することが可能となる。
【図面の簡単な説明】
【００３１】
【図１】本発明を適用したカバー構造の第１実施形態を示す斜視図である。
【図２】図１のＡ−Ａ断面図である。
【図３】図１のＢ−Ｂ断面図である。
【図４】図１のカバー構造のみを示す斜視図である。
【図５】本発明を適用したカバー構造のうち、接合材の代替例を上方から見た状態を示す図である。
【図６】本発明を適用したカバー構造のうち、接合材の他の代替例を上方から見た状態を示す図である。
【図７】本発明を適用したカバー構造のうち、緩衝材の代替例を上方から見た状態を示す図である。
【図８】本発明を適用したカバー構造の第２実施形態を示す斜視図である。
【図９】図８のＣ−Ｃ断面図である。
【図１０】図８のＤ−Ｄ断面図である。
【図１１】図８のカバー構造のみを示す斜視図である。
【図１２】本発明を適用したカバー構造の第２実施形態のうち、カバー材の変形例を上方から見た状態を示し、（ａ）は、カバー材が閉じた状態を示す図であり、（ｂ）は、その開いた状態を示す図である。
【図１３】本発明を適用したカバー構造の第２実施形態に係るカバー材の変形例が内装材に設置される状態を示す図である。
【図１４】本発明を適用したカバー構造の第２実施形態が、内装材の切欠部に設置された状態を側方から見た状態を示す図である。
【図１５】本発明を適用したカバー構造の第２実施形態が、内装材の代替例に設置された状態を側方から見た状態を示す図である。
【図１６】本発明を適用したカバー構造の第２実施形態が、柱で構成される内装材に設置された状態を側方から見た状態を示す図である。
【発明を実施するための形態】
【００３２】
以下、本発明を適用したカバー構造を実施するための形態について、図面を参照しながら詳細に説明する。
【００３３】
図１は、本発明の第１実施形態に係るカバー構造１が内装材１０１に設けられる状態を示す斜視図である。図２は、図１のＡ−Ａ断面図である。図３は、図１のＢ−Ｂ断面図である。
【００３４】
カバー構造１は、建築物の内装として用いられる壁で構成される内装材１０１に設けられる。建築物の内部は、この内装材１０１によって、一方の空間１０１ａと、内装材１０１を境にして反対側に設けられる他方の空間１０１ｂとに仕切られている。この内装材１０１は、木材で構成されるとともに、直方体形状に形成される。この内装材１０１は、その上面部１１１に、直方体形状の梁で構成される横架材１２０が載置される。この横架材１２０は、建築物を支持するために用いられる。また、内装材１０１は、その上端側の側端が切り欠かれた切欠部１３０を有する。カバー構造１は、この内装材１０１を切り欠いた結果、内装材１０１に固定されている支持材９１が外部から視認されるため、この支持材９１を覆うものとして用いられる。
【００３５】
切欠部１３０は、内装材１０１が矩形状に切り欠かれて、鉛直面１３１と、鉛直面１３１の下端に下端面１３２とが形成される。また、切欠部１３０は、その上方に横架材１２０の下面１２１が設けられている。なお、本発明例においては、切欠部が内装材の上端の側端が切り欠かれて形成されるものを例示しているが、本発明に係るカバー構造は、切欠部が内装材の上下方向の中間部の側端が切り欠かれる場合や、下端の側端が切り欠かれるものであってもよい。
【００３６】
支持材９１は、図２に示すように、ボルト、ナット等からなる締結部材８１を介して切欠部１３０の下端面１３２と、横架材１２０の下面１２１とにそれぞれ固定されている。
【００３７】
この支持材９１は、鉄やアルミニウム等の鋼材で構成される。支持材９１は、横架材１２０の下面１２１に当接される上部９１ａと、上部９１ａから下方に向けて延長される側部９１ｂと、側部９１ｂに連結されて切欠部１３０の下端面１３２に当接される下部９１ｃとを有する。この上部９１ａと下部９１ｃは、図３に示すように、平面視で円形状に形成される。また、側部９１ｂは、平面視でＵ字状に形成される。なお、本発明に係るカバー構造に用いられる支持材は、その上部及び下部の平面視での形状が円形状に限定されるものではなく、この他に、例えば、矩形状や角形状に形成されていてもよい。
【００３８】
図４は、図１のカバー構造１のみを示す斜視図である。カバー構造１は、平面視でコの字状に形成されるカバー材１０と、カバー材１０の開口側の下側に設けられる受け材１５と、カバー材１０と受け材１５とを着脱可能に接合する接合材１４と、を備える。
【００３９】
カバー材１０は、面板１１と面板１１の両端に２枚の側板１２、１３とを有する。カバー材１０は、鉄やアルミニウム等の鋼材で構成される。カバー材１０は、図２に示すように、切欠部１３０の下端面１３２に載置され、切欠部１３０の下端面１３２と横架材１２０の下面１２１との間に嵌め込まれている。
【００４０】
カバー材１０は、図３に示すように、支持材９１を囲うようにして切欠部１３０の下端面１３２に設けられる。このカバー材１０は、平面視で開口側の側端、即ち側板１２、１３と面板１１とが連結される側端とは反対側の側端１２ａ、１３ａが、鉛直面１３１にそれぞれ当接されて設けられる。
【００４１】
カバー材１０は、平面視でＬ字状に形成された板材からなる接合台座１４０が側板１２、１３の側端１２ａ、１３ａ付近に取り付けられる。そして、この接合台座１４０は、側板１２、１３に取り付けられた面とは異なる面に、接合材１４がそれぞれ取り付けられている。なお、接合台座１４０は、樹脂で構成されるものとするが、鉄やアルミニウム等の鋼材で構成されていてもよい。
【００４２】
カバー材１０は、図２に示すように、下端面１３２に載置されたとき、カバー材１０の上下方向の寸法が下端面１３２と下面１２１との間の寸法と一致していることが望ましいが、現実的にはカバー材１０の上端と横架材１２０の下面１２１との間、カバー材１０の下端と切欠部１３０の下端面１３２との間、及びカバー材１０と切欠部１３０の鉛直面１３１との間には、施工上の隙間が存在する場合がある。
【００４３】
このカバー材１０は、図４に示すように、その上端の内縁１０ａと、その下端の内縁１０ｂと、側端１２ａの内側、側端１３ａの内側とに沿って、遮光体１９が設けられる。
【００４４】
遮光体１９は、その材質は特に限定されるものではないが、本例ではスポンジ状のエラストマーで構成されるものとする。この遮光体１９は、図２及び図３に示すように、切欠部１３０の鉛直面１３１と、切欠部１３０の下端面１３２と、横架材１２０の下面１２１とに当接される。このように、遮光体１９は、カバー材１０の上端と横架材１２０の下面１２１との隙間、カバー材１０の下端と切欠部１３０の下端面１３２との隙間、及びカバー材１０と切欠部１３０の鉛直面１３１との隙間から光が通れないように遮光するものである。
【００４５】
接合材１４は、磁石で構成され、その形状は如何なる形状でも良いが、本例においては、図４に示すように、矩形状に形成されるものとする。この接合材１４は、図２に示すように、断面視で側端１２ａ、１３ａよりも面板１１側に配置される。
【００４６】
図５は、本発明を適用したカバー構造１のうち、接合材の代替例を上方から見た状態を示す図である。接合材１４１は、受け材１５に設けられる取付面１４１ａと、取付面１４１ａに着脱可能な被取付面１４１ｂとを有する。取付面１４１ａは、フック状に起毛されて形成される。また、被取付面１４１ｂは、ループ状に密集して起毛されて形成され、側板１２、１３に取り付けられる接合台座１４０に設けられている。このように、接合材１４１は、取付面１４１ａと、被取付面１４１ｂとを接合することによって、カバー材１０と受け材１５とを着脱可能に接合する、換言すれば、面的なファスナーで構成されるものであってもよい。
【００４７】
また、図６は、本発明を適用したカバー構造１のうち、接合材の他の代替例を上方から見た状態を示す図である。接合材１４２は、鉄やアルミニウム等の鋼材やプラスチックで構成され、受け材１５に設けられる凸状に形成された凸部１４２ａと、凸部１４２ａに着脱可能な凹部１４２ｂとを有する。この凹部１４２ｂは、カバー材１０の側板１２、１３にそれぞれ設けられる。接合材１４２は、この凸部１４２ａを凹部１４２ｂに嵌め込むことによって、互いが着脱可能に接合されるものである。このように、接合材１４２は、凸部１４２ａと、凹部１４２ｂとを機械的に接合することによって、カバー材１０と受け材１５とを着脱可能に接合するものであってもよい。
【００４８】
受け材１５は、鉄やアルミニウム等の鋼材で構成される板材である。受け材１５は、図２に示すように、切欠部１３０の下端面１３２に載置される。また、受け材１５は、図３に示すように、切欠部１３０の鉛直面１３１に当接される。受け材１５は、受け材１５と支持材９１との間に設けられる緩衝材７１を介して、支持材９１に固定されている。なお、受け材１５は、下端面１３２に載置されるものに限定されず、例えば、カバー材１０の上下方向の中央付近や、上側等に設けられるものであってもよい。即ち、かかる場合には、接合材の位置が受け材と接合可能なように位置合わせされることとなる。
【００４９】
受け材１５は、図４に示すように、一方の側板１２から他方の側板１３に向けて延長されて、その寸法ｗとする。この寸法ｗは、一方の側板１２側の接合材１４から他方の側板１３側の接合材１４までの寸法以上であり、かつ、一方の側板１２の内側までの寸法以下一方の側板１２の内側から他方の側板１３の内側までの寸法以下となるように形成される。
【００５０】
受け材１５は、その上下方向の寸法ｈとしたとき、寸法ｈが側板１２、１３の上端から下端の寸法以下で形成される。受け材１５は、地震等による振動を受けたときに、カバー材１０と接合された状態を維持できる程度に接合材１４と接合されている。
【００５１】
緩衝材７１は、弾性力を有するものであって、本発明例においては、エラストマーで構成されるものとする。緩衝材７１は、図２に示すように、切欠部１３０の下端面１３２に載置される。なお、この緩衝材７１は、受け材１５を切欠部１３０に設置する前に、支持材９１と切欠部１３０の鉛直面１３１との間に設けられるものであってもよいが、設置作業の効率を向上させる上では、緩衝材７１を受け材１５に事前に取り付けた上で、切欠部１３０の鉛直面１３１に設置されてもよい。さらに、緩衝材７１は、受け材１５を切欠部１３０に設置した後に、支持材９１と受け材１５との間に設けられても良い。なお、緩衝材７１の嵌めこみ方は、支持材９１に合わせて形成したものを嵌めこんでも良いし、緩衝材７１をつぶして支持材９１に嵌めこんでも良い。
【００５２】
緩衝材７１は、図３に示すように、平面視で支持材９１側の端部を一端部７１ａとし、一端部７１ａとは反対側の端部を他端部７１ｂとしたとき、一端部７１ａが、支持材９１の平面視の形状に合わせて形成されて、支持材９１に嵌め込まれる。また、緩衝材７１は、他端部７１ｂが受け材１５の平面視の形状に合わせて形成されて、受け材１５に当接される。
【００５３】
図７は、本発明を適用したカバー構造１のうち、緩衝材の代替例を上方から見た状態を示す図である。このように緩衝材７１は、カバー材１０の面板１１、２枚の側板１２、１３及び受け材１５と、支持材９１と、の間に設けられてもよい。即ち、この緩衝材７１は、その他端部７１ｂが受け材１５に当接されるものと、カバー材１０に当接されるものとで構成されることとなる。なお、本発明に係る緩衝材の他端部は、遮光体に当接されていてもよい。
【００５４】
なお、本発明に係る緩衝材は、弾性力を有するものとして、カバー材と、受け材とを接合材を介して接合したときに、緩衝材の一端部が、支持材の平面視の形状に追従するように変形されるとともに、緩衝材の他端部が、受け材や面板や側板の形状に追従するように変形されるように構成されてもよい。かかる場合には、緩衝材の一端部及び他端部を、支持材や受け材や面板や側板の形状に合わせて事前に成形する作業を省略することが可能となる。かかる場合には、緩衝材として、エラストマーで構成される他、例えば、粘土やバネで構成されてもよい。
【００５５】
本発明を適用したカバー構造１は、カバー材１０と受け材１５とを互いに着脱可能に接合する接合材１４を備えることによって、切欠部１３０に設けられるとき、内装材１０１にボルトやビス等による直接接合する煩雑な作業を行うことなく、容易に内装材１０１に設置、取り外しを行うことが可能となる。このため、カバー構造１は、内装材１０１に固定された支持材９１や締結部材８１が腐食等の劣化をしているか否かの点検や、作業終了後の復旧も容易に行うことが可能となる。
【００５６】
カバー構造１は、接合材１４がカバー材１０の開口側の下側、即ち、接合材１４が側板１２、１３の側端１２ａ、１３ａ付近の下側に設けられることによって、鉛直面１３１に当接された受け材１５を下端面１３２に載置した状態で、カバー材１０と受け材１５とを接合することが可能となる。即ち、カバー構造１は、切欠部１３０に設置するのを更に容易にすることが可能となる。
【００５７】
また、このように、接合材１４の設置位置をなるべく開口側の下側に設定することによって、受け材１５の寸法ｈをなるべく小さくすることが可能となり、受け材１５を少ない材料で製作することが可能となる。
【００５８】
カバー構造１は、受け材１５と支持材９１の間に緩衝材７１が設けられており、この受け材１５が接合材１４を介してカバー材１０に接合されている。その結果、カバー材１０は、切欠部１３０に固定される支持材９１に緩衝材７１を介して固定されることとなる。
【００５９】
カバー構造１は、緩衝材７１が弾性力を有することによって、地震等により水平方向に振動の作用を受けたとき、その作用を減衰させることが可能となる。このため、カバー構造１は、カバー材１０と受け材１５とが接合材１４を介して接合された状態を維持することが可能となる。
【００６０】
カバー構造１は、受け材１５が切欠部１３０の鉛直面１３１に当接されることによって、地震等により水平方向に振動の作用を受けたとき、受け材１５が水平方向に移動するのを制限することが可能となる。
【００６１】
また、カバー構造１は、緩衝材７１の支持材９１側の一端部７１ａが支持材９１の形状に合わせて形成されるとともに、支持材９１に嵌め込まれることによって、地震等により振動の作用を受けたとき、一端部７１ａが支持材９１に係止されるとともに、一端部７１ａと支持材９１との間で摩擦力が発生し、その作用に抵抗することが可能となる。また、カバー構造１は、緩衝材７１の他端部７１ｂが受け材１５の形状に合わせて形成されるとともに、受け材１５に当接されることによって、地震等により振動の作用を受けたとき、緩衝材７１と受け材１５との間で摩擦力が発生し、その作用に抵抗することが可能となる。
【００６２】
このように、カバー構造１は、カバー材１０と受け材１５とを互いに着脱可能に接合する接合材１４を備え、カバー材１０が、切欠部１３０に固定された支持材９１に緩衝材７１を介して固定されることによって、内装材１０１に直接接合することなく、内装材１０１の切欠部１３０に固定することが可能となり、内装材１０１から落下する、又はズレるのを防止することが可能となる。
【００６３】
カバー構造１は、カバー材１０が下端面１３２に載置され、切欠部１３０の下端面１３２と横架材１２０の下面１２１との間に嵌め込まれていることによって、地震等により上下方向に振動の作用を受けたとき、上下方向に対する移動が制限されるため、内装材１０１の切欠部１３０から落下する、又はズレるのを防止することが可能となる。
【００６４】
カバー構造１は、カバー材１０がその上端の内縁１０ａ、その下端の内縁１０ｂ、側端１２ａの内側及び側端１３ａの内側とに沿って、遮光体１９が設けられている、このため、カバー構造１は、カバー材１０と内装材１０１との隙間やカバー材１０と横架材１２０との隙間から光が漏れるのを防止することが可能となり、その結果、内装材１０１を境にして両側に設けられる一方の空間１０１ａと、他方の空間１０１ｂとの間で、光が漏れるのを防止することが可能となる。
【００６５】
なお、カバー構造１は、図７に示すように、緩衝材７１がカバー材１０の面板１１、２つの側板１２、１３及び受け材１５と、支持材９１との間にそれぞれ介装される場合には、地震等により水平方向に振動の作用を受けたとき、緩衝材７１がカバー材１０及び受け材１５を水平方向に移動するのを制限することが可能となり、より強固に内装材１０１に固定することが可能となる。
【００６６】
なお、上述した実施形態においては、支持材９１として横架材１２０と内装材１０１とを互いに連結するものを例示したが、本発明に係るカバー構造に用いられる支持材は、内装材に固定されるものとして、照明器具やＯＡ機器等で構成されてもよい。例えば、支持材が照明器具で構成される場合には、本発明に係るカバー構造は、当該照明器具から発せられた光を透過させるものとして、例えば、塩化ビニル樹脂、アクリル樹脂、ポリカーボネート等のような透光性を呈する半透明の樹脂で構成されてもよい。かかる場合には、本発明に係るカバー構造は、外部から直接照明器具が視認されるのを防止するものとしながら、間接照明として機能するものとなる。また、支持材が照明器具やＯＡ機器で構成される場合には、本発明に係るカバー構造は、カバー材の表面にメッシュやスリットが形成されていてもよい。
【００６７】
また、上述した実施形態においては、内装材１０１として木材で構成されるものを例示したが、この他に、コンクリートで構成されてもよい。また、本発明に係るカバー構造は、内装材が砂壁や土壁で構成される場合であっても、当該内装材の切欠部に固定された支持材に、緩衝材を介して固定されることとなる。即ち、かかる場合であっても、本発明に係るカバー構造は、ボルトやビス等により内装材に直接接合することなく、当該内装材の切欠部に固定することが可能となり、内装材の材質に限定されず、如何なる材質であっても、その効果を発揮することが可能となる。
【００６８】
次に、本発明を適用したカバー構造の第２実施形態について説明する。なお、上述した構成要素と同一の構成要素については、同一の符号を付すことにより以下での説明を省略する。
【００６９】
図８は、本発明の第２実施形態に係るカバー構造２が内装材２０１に設けられる状態を示す斜視図である。図９は、図８のＣ−Ｃ断面図である。図１０は、図８のＤ−Ｄ断面図である。
【００７０】
カバー構造２は、建築物の内装として用いられる壁で構成される内装材２０１に設けられる。この内装材２０１は、木材で構成されて、直方体形状に形成されている。また、この内装材２０１は、その上面部２０２の上方に直方体形状の梁で構成される横架材１２０が設けられる。カバー構造２は、内装材２０１の上面部２０２に固定されている支持材９２を覆うものとして用いられる。
【００７１】
支持材９２は、図９に示すように、内装材２０１の上面部２０２の側端付近に設けられて、ビス等からなる締結部材８２を介して内装材２０１の上面部２０２に固定されており、照明器具で構成される。また、支持材９２は、図１０に示すように、平面視で円形状に形成される。
【００７２】
カバー構造２は、図９に示すように、角筒状に形成されるカバー材２００を備える。カバー材２００は、内装材２０１の上面部２０２に載置され、内装材２０１の上面部２０２と横架材１２０の下面１２１との間に嵌め込まれている。カバー材２００は、図１０に示すように、内装材２０１の上面部２０２に固定される支持材９２に緩衝材７１を介して固定される。
【００７３】
図１１は、図８のカバー構造２のみを示す斜視図である。カバー材２００は、平面視でＬ字状に形成される２つのＬ字部材２０と、２つのＬ字部材２０を互いに着脱可能に接合する接合材２４と、２つのＬ字部材２０を係止する係止機構２５とを備える。
【００７４】
Ｌ字部材２０は、鉄やアルミニウム等の金属で構成される板材からなる。
【００７５】
Ｌ字部材２０は、面板２１と面板２１の一方の側端２１ａに設けられる側板２２とを有する。
【００７６】
Ｌ字部材２０は、平面視でＬ字状に形成された板状からなる接合台座２４０が側板２２の側端２２ａ付近に取り付けられる。この接合台座２４０の側板２２に取り付けられた面とは異なる面には、接合材２４が取り付けられている。この接合台座２４０は、樹脂で構成されるものとするが、鉄やアルミニウム等の鋼材で構成されてもよい。
【００７７】
Ｌ字部材２０は、内装材２０１の上面部２０２に載置したとき、Ｌ字部材２０の上下方向の寸法が上面部２０２と下面１２１との寸法に一致していることが望ましいが、現実的にはＬ字部材２０の上端と横架材１２０の下面１２１との間、及びＬ字部材２０の下端と内装材２０１の上面部２０２との間には、施工上の隙間が存在する場合がある。
【００７８】
Ｌ字部材２０は、その上端の内縁２０ａと、その下端の内縁２０ｂとに沿って、Ｌ字部材２０の上端と横架材１２０の下面１２１との隙間、及びＬ字部材２０の下端と内装材２０１の上面部２０２との隙間から光が通れないように遮光する遮光体２９がそれぞれ設けられる。
【００７９】
この遮光体２９は、その材質は特に限定されるものではないが、本例ではスポンジ状のエラストマーで構成されるものとする。この遮光体２９は、図９に示すように、内装材２０１の上面部２０２と、横架材１２０の下面１２１とに当接される。
【００８０】
接合材２４は、磁石で構成され、その形状は如何なる形状でも良いが、本例においては、図１１に示すように、矩形状に形成されるものとする。この接合材２４は、接合台座２４０を介して、カバー材２００の上下方向の中央付近に配置されている。この接合材２４は、地震等による振動を受けたとき、２つのＬ字部材２０が接合された状態を維持できる程度に係止片２６にそれぞれ接合される。なお、接合材２４は、カバー材２００の上下方向の中央付近に配置されることに限定されず、例えば、カバー材２００の上側や下側に配置されるものであってもよく、如何なる位置に配置されるものであってもよい。
【００８１】
係止機構２５は、板材からなる係止片２６と、係止片２６と係合する係合部２７とを有する。
【００８２】
係止片２６は、鉄等の鋼材で構成される。係止片２６は、面板２１に対して平面視で直交するように面板２１の他方の側端２１ｂに設けられるとともに、Ｌ字状に折り曲げられて、面板２１に対して平行に延長された爪部２６ａを有する。この爪部２６ａは、Ｌ字部材２０の上下方向の中央付近に配置されるとともに、爪部２６ａの上下方向の寸法がＬ字部材２０の上下方向の寸法よりも小さくなるように形成される。なお、爪部２６ａは、Ｌ字部材２０の上下方向の中央付近に配置されることに限定されず、例えば、Ｌ字部材２０の上側や下側に配置されるものであってもよく、如何なる位置に配置されるものであってもよい。
【００８３】
係合部２７は、鉄等の鋼材で構成された板材からなる。係合部２７は、側板２２に対して平面視で直交するように側板２２の側端２２ａに設けられるとともに、Ｌ字状に折り曲げられて形成される。係合部２７は、その折り曲げられた側に、他方のＬ字部材２０の係止片２６の爪部２６ａが挿通可能な挿通部２７ａを有する。挿通部２７ａは、係合部２７の折り曲げられた側の板材の側端が台形状に切り欠かれて、その側端に向かうにつれて、切り欠かれた部分が縮小するように形成される。
【００８４】
一方のＬ字部材２０の係止片２６は、図１０に示すように、その爪部２６ａを他方のＬ字部材２０の係合部２７の挿通部２７ａに挿通させたとき、係合部２７に密着され、その係合部２７に沿わせて接合材２４に向けて移動させて、爪部２６ａを接合材２４に接合させる。また、他方のＬ字部材２０の係止片２６は、その爪部２６ａを一方のＬ字部材２０の係合部２７の挿通部２７ａに挿通させたとき、その係合部２７に密着されて、係合部２７に沿わせて接合材２４に向けて移動させて、爪部２６ａを接合材２４に接合させる。
【００８５】
なお、本発明に係るカバー構造は、係止片が一方のＬ字部材の面板と側板とにそれぞれ設けられ、当該係止片を挿通可能な係合部が他方のＬ字部材の面板と側板とにそれぞれ設けられるものであってもよい。
【００８６】
図１２は、本発明を適用したカバー構造の第２実施形態のうち、カバー材の変形例を上方から見た状態を示し、（ａ）は、カバー材が閉じた状態を示す図であり、（ｂ）は、その開いた状態を示す図である。また、図１３は、本発明を適用したカバー構造の第２実施形態に係るカバー材の変形例が内装材２０１に設置される状態を示す図である。
【００８７】
カバー材３００は、図１２（ａ）に示すように、平面視でＬ字状に形成される２つのＬ字部材３１、３２と、２つのＬ字部材３１、３２を互いに着脱可能に接合する接合材２４と、２つのＬ字部材３１、３２を係止する係止機構２５と、一方のＬ字部材３１と他方のＬ字部材とを開閉可能に連結する開閉部材３８を有する。
【００８８】
一方のＬ字部材３１は、面板３１１と、面板３１１の一方の側端３１１ａに設けられる側板３１２とを有する。そして、この側板３１２は、その側端３１２ａに係合部２７が設けられる。
【００８９】
また、一方のＬ字部材３１は、平面視でＬ字状に形成された接合台座２４０が側板３１２の側端３１２ａ付近に取り付けられ、この接合台座２４０の側板３１２に取り付けられた面とは異なる面に、接合材２４が取り付けられている。
【００９０】
また、他方のＬ字部材３２は、面板３２１と、面板３２１の一方の側端３２１ａに設けられる側板３２２とを有する。この面板３２１は、面板３２１の他方の側端３２１ｂに係止片２６が設けられる。
【００９１】
他方のＬ字部材３２の係止片２６は、一方のＬ字部材３１の係合部２７の挿通部２７ａに挿通されて、接合材２４に接合される。
【００９２】
開閉部材３８は、２つのＬ字部材３１、３２が開閉可能であれば、その形態が限定されないが、本発明例においては、蝶番で構成されるものとする。
【００９３】
このとき、カバー材３００は、図１２（ｂ）に示すように、一方のＬ字部材３１の面板３１１と、他方のＬ字部材３２の側板３２２とが、開閉部材３８を介して連結されることによって、２つのＬ字部材３１、３２が開閉可能に構成されるものとなる。このため、カバー材３００は、図１３に示すように、内装材２０１の上面部２０２に設置するとき、その設置作業を容易に行うことが可能となる。
【００９４】
また、かかる場合には、カバー材３００は、地震等により水平方向に振動を受けたとき、一方のＬ字部材３１と他方のＬ字部材３２とが脱離するのを防止することが可能となる。
【００９５】
緩衝材７１は、図９に示すように、弾性力を有するものであって、本発明例においては、エラストマーで構成されるものとする。緩衝材７１は、内装材２０１の上面部２０２に載置される。なお、この緩衝材７１は、Ｌ字部材２０を内装材２０１の上面部２０２に設置する前に支持材９２の周囲に設置されるものであってもよいが、設置作業の効率を向上させる上では、２つのＬ字部材２０の各面板２１及び各側板２２にそれぞれ事前に取り付けておくのが望ましい。
【００９６】
緩衝材７１は、図１０に示すように、平面視で支持材９２側の端部を一端部７１ａとし、一端部７１ａとは反対側の端部を他端部７１ｂとしたとき、一端部７１ａが、支持材９２の平面視の形状に合わせて形成される。また、他端部７１ｂは、２つのＬ字部材２０のそれぞれに当接される。なお、本発明に係るカバー構造は、図示は省略するが、他端部が遮光体に当接されていてもよい。
【００９７】
本発明を適用したカバー構造２は、平面視でＬ字状に形成される２つのＬ字部材２０を有することによって、Ｌ字部材２０を自立させた状態で、内装材２０１の上面部２０２に設けることが可能となり、その設置作業が容易となる。また、Ｌ字部材２０は単独で自立して、倒れにくい構造を採用しているので高所に設置する場合でも、Ｌ字部材２０が落下する危険が少なく安全性にも考慮されている。
【００９８】
本発明を適用したカバー構造２は、２つのＬ字部材２０が接合材２４を介して互いに着脱可能に接合されることによって、内装材２０１の上面部２０２に設けられるとき、ボルトやビス等により内装材２０１に直接接合する煩雑な作業を行うことなく、その施工や取り外しを容易に行うことが可能となり、作業終了後の復旧も容易に行うことが可能となる。即ち、カバー構造２は、内装材２０１に固定された支持材９２や締結部材８２の点検を容易に行うことが可能となる。また、カバー構造２は、特に支持材９２が照明器具で構成されることにより、照明器具の交換も容易に行うことが可能となる。
【００９９】
カバー構造２は、２つのＬ字部材２０の各面板２１及び各側板２２が、上面部２０２に固定される支持材９１に緩衝材７１を介して固定されることによって、地震等により水平方向に振動を受けたとき、カバー材２００の移動を制限することが可能となる。
【０１００】
このように、カバー構造２は、２つのＬ字部材２０を互いに着脱可能に接合する接合材２４を備え、２つのＬ字部材２０の各面板２１及び各側板２２が、上面部２０２に固定された支持材９１に緩衝材７１を介して固定されることによって、内装材２０１に直接接合することなく、内装材２０１の上面部２０２に固定することが可能となり、内装材２０１の上面部２０２から落下する、又はズレるのを防止することが可能となる。
【０１０１】
また、カバー構造２は、緩衝材７１の一端部７１ａが支持材９２の形状に合わせて形成されるとともに、支持材９２に嵌め込まれる。これにより、カバー構造２は、地震等により振動を受けたとき、一端部７１ａが支持材９１に係止されるとともに、一端部７１ａと支持材９２との間で摩擦力が発生し、その作用に抵抗することが可能となる。
【０１０２】
カバー構造２は、図１１に示すように、係止片２６の爪部２６ａを係合部２７の挿通部２７ａに挿通したとき、係止片２６と係合部２７とが互いに密接することとなり、係止片２６を係合部２７に沿わせて接合材２４に向けて移動させることによって、爪部２６ａを挿通部２７ａ近傍に設けられた接合材２４に的確に接合させることが可能となる。即ち、カバー構造２は、係合部２７が、係止片２６を接合材２４へのガイドとする役割も持つこととなる。その結果、カバー構造２は、２つのＬ字部材２０を容易に接合することが可能となる。
【０１０３】
また、カバー構造２は、爪部２６ａが接合材２４に接合されることによって、地震等の作用を受けたとき、これらが容易に離脱することが無く、また、離脱した場合であっても、係止片２６と係合部２７との係止機構２５により、爪部２６ａが挿通部２７ａに係止されることによって、接合材２４に導かれ、再度接合材２４に接合されやすくなる。このため、カバー構造２は、２つのＬ字部材２０が切欠部１３０から落下するのを防止する効果をより有意に発揮することが可能となる。
【０１０４】
カバー構造２は、係止片２６が一方のＬ字部材２０に設けられ、係合部２７が他方のＬ字部材２０に設けられ、特に、２つのＬ字部材２０が同一形状に形成されることによって、これらを互いに組み合わせることが可能となる。このように、カバー構造２は、同一形状に形成される２つのＬ字部材２０を互いに接合材２４を介して接合することにより、カバー材同士を区別する必要がなくなるため、製作効率を向上させることが可能となる。
【０１０５】
カバー構造２は、Ｌ字部材２０の上端の内縁２０ａと、その下端の内縁２０ｂと、に遮光体２９がそれぞれ取り付けられる。これにより、カバー構造２は、上面部２０２に固定された照明器具からなる支持材９２から発せられた光が、Ｌ字部材２０の上端と横架材１２０の下面１２１との隙間、及びＬ字部材２０の下端と内装材２０１の上面部２０２との隙間から漏れるのを防止することが可能となる。
【０１０６】
なお、上述した実施形態においては、内装材２０１の上面部２０２に固定される支持材９２として照明器具を例示したが、本発明の第２実施形態に係る支持材は、上面部に固定されるものとして、ＯＡ機器等で構成されてもよい。また、本発明の第２実施形態に用いられる支持材は、横架材と内装材とを互いに連結するものであってもよい。
【０１０７】
図１４は、本発明の第２実施形態に係るカバー構造２が内装材１０１の切欠部１３０に設置された状態を示す断面図である。このカバー構造２は、カバー材２００が、切欠部１３０に固定された支持材９２に緩衝材７１を介して固定され、特に、切欠部１３０の鉛直面１３１に当接させて設けられる。このとき、カバー構造２は、地震等により水平方向に振動を受けたとき、内装材１０１に直接接合することなく、内装材１０１に固定することが可能となり、内装材１０１から落下するのを防止することが可能となる。
【０１０８】
図１５は、本発明の第２実施形態に係るカバー構造２が内装材１０１の切欠部１３０に設置された状態を示す断面図である。このカバー構造２は、カバー材２００が、切欠部１３０に固定された支持材９２に緩衝材７１を介して固定され、特に、切欠部１３０の鉛直面１３１と間隔を空けて設けられる。このとき、カバー材２００と鉛直面１３１との間に空間Ｖが形成されることとなる。この空間Ｖは、例えば、ケーブルに接続された照明器具で構成される支持材９２の配線を収容するスペースとして用いられることとなる。なお、このカバー構造２は、上述したような効果、即ち、内装材への取り付け容易性や内装材からの落下、又はズレを防止する作用効果を奏するのは言うまでもない。さらにカバー構造２と内装材１０１の切欠部１３０に空間Ｖを設けることで、切欠部１３０の外観にすっきりしたイメージを与えるなどの効果があるため、意匠性が向上する。
【０１０９】
図１６は、本発明の第２実施形態に係るカバー構造２が、柱で構成される内装材９０１に設置された状態を示す図である。カバー構造２は、図１６に示すように、内装材９０１が柱で構成される場合には、建築物を構造的に支持する、いわゆる構造柱でなく、建築物の内装として用いられる、いわゆる意匠柱に設置されるものとなる。
【０１１０】
かかる場合であっても、カバー構造２は、カバー材２００が、内装材９０１の上面部９０２に固定された支持材９２に緩衝材７１を介して固定される。このとき、カバー構造２は、地震等により水平方向に振動を受けたとき、内装材９０１に直接接合することなく、内装材９０１に固定することが可能となり、内装材９０１から落下するのを防止することが可能となる。
【０１１１】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【符号の説明】
【０１１２】
１、２                                ：カバー構造
１０、２００、３００                  ：カバー材
１０ａ、１０ｂ、２０ａ、２０ｂ        ：内縁
１１、２１、３１１、３２１            ：面板
１２、１３、２２、３１２、３２２      ：側板
１４、１４１、１４２、２４            ：接合材
１５                                  ：受け材
１９、２９                            ：遮光体
２０、３１、３２                      ：Ｌ字部材
２５                                  ：係止機構
２６                                  ：係止片
２６ａ                                ：爪部
２７                                  ：係合部
２７ａ                                ：挿通部
３８                                  ：開閉部材
７１                                  ：緩衝材
７１ａ                                ：一端部
７１ｂ                                ：他端部
８１、８２                            ：締結部材
９１、９２                            ：支持材
１０１、２０１、９０１                ：内装材
１０１ａ                              ：空間
１０１ｂ                              ：空間
１１１、２０２、９０２                ：上面部
１２０                                ：横架材
１２１                                ：下面
１３０                                ：切欠部
１３１                                ：鉛直面
１３２                                ：下端面
１４０、２４０                        ：接合台座
【図１】
2017150133.tif 000003
【図２】
2017150133.tif 000004
【図３】
2017150133.tif 000005
【図４】
2017150133.tif 000006
【図５】
2017150133.tif 000007
【図６】
2017150133.tif 000008
【図７】
2017150133.tif 000009
【図８】
2017150133.tif 000010
【図９】
2017150133.tif 000011
【図１０】
2017150133.tif 000012
【図１１】
2017150133.tif 000013
【図１２】
2017150133.tif 000014
【図１３】
2017150133.tif 000015
【図１４】
2017150133.tif 000016
【図１５】
2017150133.tif 000017
【図１６】
2017150133.tif 000018